(57)【特許請求の範囲】
【請求項１】
リング状の内壁部を有し、記録媒体を搭載して、回転させるためのロータハブと、
前記ロータハブに固定されるように設けられ、前記ロータハブを軸支持するための回転軸と、
前記回転軸を回転可能に支持するためのスリーブと、
前記回転軸と前記スリーブとの間のベアリング部に連結するように、前記スリーブに固定され、前記内壁部と対向するように設けられるシール部材と
を含み、
前記シール部材は中空の円筒状をし、前記シール部材の内周面と前記スリーブとの間に固定側シール部を形成し、前記シール部材の外周面と前記ロータハブとの間に回転側シール部を形成し、前記リング状の内壁部と対向する外周面の少なくとも一部および前記スリーブと対向する内周面の少なくとも一部が順次幅が狭くなるように斜めに形成されることを特徴とする複数のシール部を有するスピンドルモータ。
【請求項２】
前記ロータハブの回転時に前記回転側シール部に保管される流体は、前記固定側シール部に移動することを特徴とする、請求項１に記載のスピンドルモータ。
【請求項３】
前記ロータハブまたは前記シール部材は、前記流体を前記固定側シール部にポンピングするための流体ポンピング溝を有することを特徴とする、請求項２に記載のスピンドルモータ。
【請求項４】
記録媒体を搭載して、回転させるためのロータハブと、
前記ロータハブに固定されるように設けられ、前記ロータハブを軸支持するための回転軸と、
前記回転軸を回転可能に支持するためのスリーブと、
前記回転軸と前記スリーブとの間のベアリング部に連結するように前記スリーブに固定されるが、底部と、前記底部の外周縁から伸びる起立部を有する中空の器状を有するシール部材とを含み、
前記シール部材の内周面と前記スリーブの外周面との間に固定側シール部を形成し、前記回転軸の外周面の上部とシール部材の底部の側端面との間に回転側シール部を形成することを特徴とする、複数のシール部を有するスピンドルモータ。
【請求項５】
前記シール部材は、底部と前記底部の外周縁から延びる起立部を有する中空の器状をし、前記スリーブと対向する前記起立部の少なくとも一部が順次幅が狭くなるように斜めに形成されることを特徴とする、請求項４に記載のスピンドルモータ。
【請求項６】
前記ロータハブの回転時に前記回転側シール部に保管される流体は、前記固定側シール部に移動することを特徴とする請求項５に記載のスピンドルモータ。
【請求項７】
前記スリーブまたは前記シール部材は、前記流体を前記固定側シール部にポンピングするための流体ポンピング溝を有することを特徴とする、請求項６に記載のスピンドルモータ。
【請求項８】
記録媒体を搭載して、回転させるためのロータハブと、
前記ロータハブに固定されるように設けられ、前記ロータハブを軸支持するための回転軸と、
前記回転軸を回転可能に支持するためのスリーブと、
前記ロータハブと前記スリーブとの間に固定されるように設けられるリング状の中間部材と、
前記回転軸と前記スリーブとの間のベアリング部に連結するように前記スリーブに固定され、底部と、前記底部の外周縁から伸びる起立部を有する中空の器状を有するシール部材と
を含み、
前記シール部材は、前記スリーブの外周面および前記中間部材の外周面と、前記起立部の内周面との間に固定側シール部を形成し、前記中間部材の上面と前記シール部材の底面との間に回転側シール部を形成することを特徴とする、複数のシール部を有するスピンドルモータ。
【請求項９】
前記シール部材は、底部と前記底部の外周縁から延びる起立部を有する中空の器状をし、前記スリーブと対向する前記起立部の少なくとも一部が順次幅が狭くなるように斜めに形成され、前記中間部材は前記シール部材の前記底部と対向する位置に、円周に沿って流体を保管するための傾斜溝が形成されることを特徴とする、請求項８に記載のスピンドルモータ。
【請求項１０】
前記ロータハブの回転時に前記回転側シール部に保管される流体は、前記固定側シール部に移動することを特徴とする、請求項８または請求項９に記載のスピンドルモータ。
【請求項１１】
前記中間部材または前記シール部材は、前記流体を前記固定側シール部にポンピングするための流体ポンピング溝を有することを特徴とする、請求項１０に記載のスピンドルモータ。
【発明の詳細な説明】
【技術分野】
【０００１】
本発明は、スピンドルモータに関し、より詳しくは、ベアリング部の流体のシール力を高めて保管量を増やすことのできる複数のシール部を有するスピンドルモータに関するものである。
【背景技術】
【０００２】
スピンドルモータは、その中に動圧を発生させる流体動圧ベアリングが設けられ、ハードディスクドライブなどに設けられて用いられている。近年では、このようなスピンドルモータがＭＰ３プレーヤーや携帯電話などの携帯性に優れた製品に適用されることによってスピンドルモータを小型化しようとする動きが大きくなっている。このような従来のスピンドルモータの一例が図７および図８に示されている。
【０００３】
図７および図８に示すように、従来のスピンドルモータ４００は、固定組立体４０１および固定組立体４０１に回転可能に支持される回転組立体４０５から構成されている。
【０００４】
固定組立体４０１は、ベース４１０、スリーブ４２０、シールキャップ４３０および電機子４４０などから構成されている。
【０００５】
ベース４１０は、固定組立体４０１の各部分を支持するためのものであり、主にアルミニウム合金などの非磁性体で形成される。また、ベース４１０は、底部４１１、スリーブ支持部４１２および外壁部４１３を有し、底部４１１は実質的に円板状であり、スリーブ支持部４１２は底部４１１の中央から実質的に円筒状に上方へ突出するように形成され、外壁部４１３は底部４１１の外周縁から上方に延びて、壁を成し遂げている。一方、スリーブ支持部４１２にはスリーブ４２０が支持されており、ベース４１０は、モータ４００が設けられるハードディスクドライブなどの装置のハウジング（図示せず）に固定されるように設けられている。
【０００６】
スリーブ４２０は、回転組立体４０５を回転可能に支持するためのものであり、金属などの材質で実質的に円筒状に形成されている。スリーブ４２０の下段部は、スリーブ支持部４１２に圧入され、スリーブ４２０の中心軸は回転軸４７０の中心軸と一致するように設けられている。
【０００７】
シールキャップ４３０は、ベアリング部の流体が流出するのを防ぐためのものであり、実質的に円板状である。シールキャップ４３０は、スリーブ４２０の下段側を閉鎖するようにスリーブ４２０に固定されるように結合してベアリング部の流体流出を防ぐ。
【０００８】
電機子４９０は、外部電源が印加されて電場を形成するためのものであり、ベース４１０のスリーブ支持部４１２の外壁に固定されるように設けられるコア４４１とコア４４１に巻線されるコイル４４２を有する。
【０００９】
一方、回転組立体４０５は、ロータハブ４６０、回転軸４７０および磁石４８０などから構成されている。
【００１０】
ロータハブ４６０は、回転組立体４０５の各部分を支持するためのものであり、鉄などの磁性体で形成され、円板部４６１、円筒部４６２およびディスク搭載部４６３を有する。
【００１１】
円板部４６１は、中央に回転軸４７０が一体にまたは固定されるように形成され、回転軸４７０に対し放射するように延びる円板状に形成されている。円筒部４６２は円板部４６１の外周縁から回転軸４７０の自由端側に延びるように円筒状に形成されている。また、ディスク搭載部４６３はディスクなどの媒体が搭載される部位で、円筒部４６２の外周面から外部へリング状に延びている。また、円板部４６１の底面には円筒部４６２の内側に内壁部４６４が設けられている。
【００１２】
回転軸４７０は、一端が円板部４６１に固定されるように形成されるか、円板部４６１と一体に延びるように形成され、他端が自由端になる。
【００１３】
磁石４８０は、ロータハブ４６０の円筒部４６２の内側に固定されるように設けられ、電機子４９０と向き合っている。
【００１４】
このような構成のモータ４００は、回転軸４７０の外周面とスリーブ４２０の内周面との間の空間（Ｓ１）、回転軸４７０の底面とシールキャップ４３０の上面との間の空間（Ｓ２）、ロータハブ４６０の円板部４６１の底面とスリーブ４２０上面との間の空間（Ｓ３）およびスリーブ４２０の外周面と円板部４６１の内壁部４６４の内周面との間の空間（Ｓ４）は、互いに繋がってその中に流体が充填されており、この内で空間（Ｓ１、Ｓ２、Ｓ３）は、回転組立体４０５の回転時にベアリング部となり、特に空間（Ｓ４）には界面が形成されてシール部となる。
【００１５】
しかし、上述した構成を有する従来技術のモータ４００は、流体の界面が形成されるシール部が回転組立体４０５、具体的にロータハブ４６０の内壁部４６４の内周面と固定組立体４０１、具体的にスリーブ４２０の外周面の間に形成されており、回転組立体４０５の回転時に図８に拡大して示すように、遠心力によって流体がロータハブ４６０の内壁部４６４に集中して流体が流出する恐れがあった。
【発明の開示】
【発明が解決しようとする課題】
【００１６】
本発明は、上述した従来技術の問題点を解決するために創案したものであって、本発明の目的は、回転組立体と固定組立体との間および固定組立体内に各々流体界面を有するシール部を形成し、回転組立体の回転時に回転組立体と固定組立体との間の回転側シール部に存在する流体が固定組立体内の固定側シール部に移動することによって流体が外部に流出するのを防げるだけでなく、より多い量の流体を保有できる複数のシール部を有するスピンドルモータを提供することにある。
【課題を解決するための手段】
【００１７】
上述した本発明の目的を達成するために、本発明の一態様に係るスピンドルモータは、記録媒体を搭載して、回転させるための回転組立体と、回転組立体を回転可能に支持するための固定組立体と、回転組立体と固定組立体との間のベアリング部に連結するように固定組立体に固定されるように設けられ、回転組立体と固定組立体との間に各々回転側シール部と固定側シール部とを提供するシール部材とを含むことを特徴とする。
【００１８】
ここで、回転組立体の回転時に回転側シール部に保管される流体は、固定側シール部に移動することを特徴とする。
【００１９】
また、回転組立体またはシール部材は、流体を固定側シール部にポンピングするための流体ポンピング溝を有することを特徴とする。
【００２０】
本発明の他の態様に係るスピンドルモータは、記録媒体を搭載して、回転させるためのロータハブと、ロータハブに固定されるように設けられ、ロータハブを軸支持するための回転軸と、回転軸を回転可能に支持するためのスリーブと、回転軸とスリーブとの間のベアリング部に連結するようにスリーブに固定されるように設けられ、ロータハブとスリーブとの間に各々回転側シール部と固定側シール部とを提供するシール部材とを含むことを特徴とする。
【００２１】
ここで、ロータハブは、シール部材と対向するリング状の内壁部を有することを特徴とする。
【００２２】
また、シール部材は、中空の円筒状をし、リング状の内壁部と対向する外周面の少なくとも一部およびスリーブと対向する内周面の少なくとも一部が順次幅が狭くなるように斜めに形成されることを特徴とする。
【００２３】
また、ロータハブの回転時に回転側シール部に保管される流体は、固定側シール部に移動することを特徴とする。
【００２４】
また、ロータハブまたはシール部材は、流体を固定側シール部にポンピングするための流体ポンピング溝を有することを特徴とする。
【００２５】
一方、本発明のまた他の態様に係るスピンドルモータは、記録媒体を搭載して、回転させるためのロータハブと、ロータハブに固定されるように設けられ、ロータハブを軸支持するための回転軸と、回転軸を回転可能に支持するためのスリーブと、回転軸とスリーブとの間のベアリング部に連結するようにスリーブに固定されるように設けられ、回転軸とスリーブとの間に各々回転側シール部と固定側シール部とを提供するシール部材を含むことを特徴とする。
【００２６】
ここで、シール部材は、底部と前記底部の外周縁から延びる起立部を有する中空の器状をし、スリーブと対向する起立部の少なくとも一部が順次幅が狭くなるように斜めに形成されることを特徴とする。
【００２７】
また、ロータハブの回転時に回転側シール部に保管される流体は、固定側シール部に移動することを特徴とする。
【００２８】
また、スリーブまたはシール部材は、流体を固定側シール部にポンピングするための流体ポンピング溝を有することを特徴とする。
【００２９】
一方、本発明のまた他の態様に係るスピンドルモータは、記録媒体を搭載して、回転させるためのロータハブと、ロータハブに固定されるように設けられ、ロータハブを軸支持するための回転軸と、回転軸を回転可能に支持するためのスリーブと、ロータハブとスリーブとの間に固定されるように設けられるリング状の中間部材と、回転軸とスリーブとの間のベアリング部に連結するようにスリーブに固定されるように設けられ、中間部材とスリーブとの間に各々回転側シール部と固定側シール部とを提供するシール部材とを含むことを特徴とする。
【００３０】
ここで、シール部材は、底部と底部の外周縁から延びる起立部を有する中空の器状をし、スリーブと対向する起立部の少なくとも一部が順次幅が狭くなるように斜めに形成され、中間部材はシール部材の底部と対向する位置に、円周に沿って流体を保管するための傾斜溝が形成されることを特徴とする。
【００３１】
また、ロータハブの回転時に回転側シール部に保管される流体は、固定側シール部に移動することを特徴とする。
【００３２】
また、中間部材またはシール部材は、流体を固定側シール部にポンピングするための流体ポンピング溝を有することを特徴とする。
【発明の効果】
【００３３】
本発明のスピンドルモータによれば、固定組立体の１つのスリーブと回転組立体の１つのロータハブとの間のベアリング部に連結するように結合されるシール部材が固定組立体側と回転組立体側に各々固定側シール部と回転側シール部が形成されて、回転組立体の回転時に回転側シール部の流体が固定側シール部に移動するための回転組立体が回転する時に流体が外部に流出するのを防げる。
【００３４】
また、固定側シール部と回転側シール部とを有するためベアリング部に用いられる流体をより多く保管することができ、長時間の使用においてもモータの特性を高められるだけでなく、長寿命にすることができる。
【００３５】
また、モータに流体をより多く保管することができるため、内部流体による熱膨張または熱収縮にもあまり影響を受けない。
【発明を実施するための最良の形態】
【００３６】
以下、添付した図面を参照しながら本発明の好ましい実施形態に係るスピンドルモータについて詳しく説明する。
【００３７】
先ず、図１、図２Ａおよび図２Ｂを参照しながら本発明の一実施形態に係るスピンドルモータ１００について説明する。
【００３８】
図１、図２Ａおよび図２Ｂに示すように、本実施形態に係るスピンドルモータ１００は、固定組立体１０１および固定組立体１０１に回転可能に支持される回転組立体１０５を含む。
【００３９】
固定組立体１０１は、ベース１１０、スリーブ１２０、シールキャップ１３０、電機子１４０およびシール部材１５０などを備える。
【００４０】
ベース１１０は、固定組立体１０１の各部分を支持するためのものであり、主にアルミニウム合金などの非磁性体で形成される。また、ベース１１０は底部１１１、スリーブ支持部１１２および外壁部１１３を有し、底部１１１は実質的に円板状であり、スリーブ支持部１１２は底部１１１の中央から実質的に円筒状に上方へ突出するように形成され、外壁部１１３は底部１１１の外周縁から上方に延びて壁を形成する。一方、スリーブ支持部１１２には、スリーブ１２０が支持され、ベース１１０は、モータ１００が設けられるハードディスクドライブなどの装置のハウジング（図示せず）に固定されるように設けられる。
【００４１】
スリーブ１２０は、回転組立体１０５を回転可能に支持するためのものであり、金属などの材質で実質的に円筒状に形成される。スリーブ１２０の下段部はスリーブ支持部１１２に圧入され、スリーブ１２０の中心軸は回転軸１７０の中心軸と一致するように設けられる。
【００４２】
シールキャップ１３０は、ベアリング部の流体が流出するのを防ぐためのものであり、実質的に円板状である。シールキャップ１３０は、スリーブ１２０の下段側を閉鎖するようにスリーブ１２０に固定されるように結合してベアリング部の流体流出を防ぐ。
【００４３】
電機子１４０は、外部電源が印加されて電場を形成するためのものであり、ベース１１０のスリーブ支持部１１２の外壁に固定されるように設けられるコア１４１とコア１４１に巻線されるコイル１４２を有する。
【００４４】
シール部材１５０は、ベアリング部の流体が界面を形成し、外部に流出するのを防ぐためのものであり、中空の円筒状にスリーブ１２０の外周面の上端部に固定されるように設けられる。また、シール部材１５０は、自由端側に狭くなる内周面１５０ａと一部が自由端側に狭くなる外周面１５０ｂとを有し、内周面１５０ａと外周面１５０ｂとが各々固定側および回転側シール部を形成する。
【００４５】
一方、回転組立体１０５は、ロータハブ１６０、回転軸１７０および磁石１８０などを備える。
【００４６】
ロータハブ１６０は、回転組立体１０５の各部分を支持するためのものであり、鉄などの磁性体で形成され、円板部１６１、円筒部１６２およびディスク搭載部１６３を有する。
【００４７】
円板部１６１は、中央に回転軸１７０が一体にまたは固定されるように形成され、回転軸１７０に対して放射するように延びる円板状に形成される。円筒部１６２は、円板部１６１の外周縁から回転軸１７０の自由端側に延びるように円筒状に形成される。また、ディスク搭載部１６３はディスクなどの媒体が搭載される部位で円筒部１６２の外周面から外部にリング状に延びる。また、円板部１６１の底面には円筒部１６２の内側に内壁部１６４が設けられる。
【００４８】
回転軸１７０は、一端が円板部１６１に固定されるように設けられるか円板部１６１と一体に延びるように形成され、他端は自由端になる。
【００４９】
磁石１８０は、ロータハブ１６０の円筒部１６２の内側に固定されるように設けられ、電機子１４０と向き合う。
【００５０】
本実施形態のモータ１００は、図２Ａに拡大して示すように、回転軸１７０の外周面１７０ａとスリーブ１２０の内周面１２０ａとの間の空間Ｓ１１、回転軸１７０の底面１７０ｂとシールキャップ１３０の上面１３０ａとの間の空間Ｓ２１、ロータハブ１６０の円板部１６１の底面１６１ａとスリーブ１２０上面１２０ｂおよびシール部材１５０の上面１５０ｃとの間の空間Ｓ３１、スリーブ１２０の外周面１２０ｃとシール部材１５０の内周面１５０ａとの間の空間Ｓ４１、およびシール部材１５０の外周面１５０ｂとロータハブ１６０の内壁部１６４の内周面１６４ａとの間の空間Ｓ５１が互いに繋がって潤滑油の流体が充填されており、この内の空間Ｓ１１，Ｓ２１，Ｓ３１は回転組立体１０５の回転時にベアリング部となり、また、空間Ｓ４１，Ｓ５１には界面が形成されて固定側および回転側シール部となる。
【００５１】
本実施形態のモータ１００は、回転組立体１０５が固定組立体１０１に対して回転する時、図２Ｂに拡大して示すように、回転組立体１０５、図面ではロータハブ１６０が回転する時、回転側シール部の内壁部１６４の内周面１６４ａとシール部材１５０の外周面１５０ｂとの間の空間Ｓ５１にある流体が固定側シール部のスリーブ１２０の外周面１２０ｃとシール部材１５０の内周面１５０ａとの間の空間Ｓ４１に移動する。
【００５２】
ここで、回転側シール部の空間Ｓ５１から固定側シール部の空間Ｓ４１に流体が円滑に移動するために、空間Ｓ３１の一部を形成するロータハブ１６０の円板部１６１の底面１６１ａまたはシール部材１５０の上面１５０ｃに流体を固定側シール部側にポンピングするように流体ポンピング溝（図示せず）を形成することができる。
【００５３】
次に、図３、図４Ａおよび図４Ｂを参照しながら本発明の他の実施形態に係るスピンドルモータ２００について説明する。本実施形態のスピンドルモータ２００は、スリーブの一部、シール部材の形状、およびこれらの結合関係を除いては、先に説明したスピンドルモータ１００と略同一であるため、同一の構成に対する説明は省略することにする。
【００５４】
シール部材２５０は、底部２５１と底部２５１の外周縁から起立するように延びる起立部２５２とから構成され、逆「Ｌ」字状の断面を有する中空の器状をし、スリーブ２２０に固定されるように設けられる。具体的にシール部材２５０は、底部２５１の側断面２５１ａと底面２５１ｂがスリーブ２２０の上段面２２０ｂに固定されるように結合される。また、起立部２５２は自由端側に幅が狭くなるように傾斜した内周面２５２ａと自由端側に垂直な外周面２５２ｂとを有する。
【００５５】
本実施形態において、回転軸２７０の外周面２７０ａとスリーブ２２０の内周面２２０ａとの間の空間Ｓ１２、回転軸２７０の底面２７０ｂとシールキャップ２３０の上面２３０ａとの間の空間Ｓ２２、スリーブ２２０の上段面２２０ｂとシール部材２５０の底部２５１の底面２５１ｂとの間の空間Ｓ３２、スリーブ２２０の外周面２２０ｃとシール部材２５０の内周面２５２ａとの間の空間Ｓ４２、および回転軸２７０の外周面２７０ａの上部とシール部材２５０の底部２５１の側断面２５１ａとの間の空間Ｓ５２は、互いに繋がって潤滑油の流体が充填されている。この内で空間Ｓ１２，Ｓ２２は回転組立体２０５の回転時にベアリング部となり、また、空間Ｓ４２，Ｓ５２には界面が形成され、各々固定側および回転側シール部となる。
【００５６】
本実施形態のモータ２００は、回転組立体が固定組立体に対して回転する時、図４Ｂに示すように、回転側シール部の回転軸２７０の外周面２７０ａの上部とシール部材２５０の底部２５１の側断面２５１ａとの間の空間Ｓ５２にある流体が固定側シール部のスリーブ２２０の外周面２２０ｃとシール部材２５０の内周面２５２ａとの間の空間Ｓ４２に移動する。
【００５７】
ここで、回転側シール部の空間Ｓ５２から固定側シール部の空間Ｓ４２に流体が円滑に移動するために、空間Ｓ３２を形成するスリーブ２２０の上段面２２０ｂまたはシール部材２５０の底部２５１の底面２５１ｂに流体を固定側シール部側にポンピングするように流体ポンピング溝（図示せず）を形成することができる。
【００５８】
次に、図５、図６Ａおよび図６Ｂを参照しながら本発明のまた他の実施形態に係るスピンドルモータ３００について説明する。本実施形態のスピンドルモータ３００は、シール部材とスリーブとの間に中間部材が挟まれることを除いては、先に説明したスピンドルモータ２００と略同一であるため、同一の構成に対する説明は省略することにする。
【００５９】
シール部材３５０は、底部３５１と底部３５１の外周縁から起立するように延びる起立部３５２で構成され、逆「Ｌ」字状の断面を有する中空の器状をし、中間部材３９０の一部を覆うようにスリーブ３２０に固定されるように設けられる。また、起立部３５２は、下段部が自由端側に幅が狭くなるように傾斜した内周面３５２ａと自由端側に垂直な外周面３５２ｂを有する。
【００６０】
中間部材３９０はリング状をし、上面３９０ａに傾斜した断面を有する傾斜溝３９１が円周に沿って形成される。この傾斜溝３９１には流体が保管される。また、中間部材３９０は、回転軸３７０とロータハブ３６０に固定されるように設けられる。
【００６１】
本実施形態において、回転軸３７０の外周面３７０ａとスリーブ３２０の内周面３２０ａとの間の空間Ｓ１３、回転軸３７０の底面３７０ｂとシールキャップ３３０の上面３３０ａとの間の空間Ｓ２３、スリーブ３２０の上段面３２０ｂと中間部材３９０の底面３９０ｂとの間の空間Ｓ３３、スリーブ３２０の外周面３２０ｃおよび中間部材３９０の外周面３９０ｃとシール部材３５０の起立部３５２の内周面３５２ａとの間の空間Ｓ４３、および中間部材３９０の上面３９０ａとシール部材３５０の底部３５１の底面３５１ａとの間の空間Ｓ５３は、互いに繋がって潤滑油の流体が充填されている。この内で、空間Ｓ１３，Ｓ２３は回転組立体３０５の回転時にベアリング部となり、また、空間Ｓ４３，Ｓ５３には界面が形成されて、各々固定側および回転側シール部となる。
【００６２】
本実施形態のモータ３００は、回転組立体が固定組立体に対して回転する時、図６Ｂに示すように、回転側シール部の中間部材３９０の上面３９０ａとシール部材３５０の底部３５１の底面３５１ａとの間の空間Ｓ５３にある流体が、固定側シール部のスリーブ３２０の外周面３２０ｃおよび中間部材３９０の外周面３９０ｃとシール部材３５０の起立部３５２の内周面３５２ａとの間の空間Ｓ４３に移動する。
【００６３】
ここで、回転側シール部の空間Ｓ５３から固定側シール部の空間Ｓ４３に流体が円滑に移動するために、空間Ｓ３３を形成するスリーブ３２０の上段面３２０ｂまたは中間部材３９０の底面３９０ｂに流体を固定側シール部側にポンピングするように流体ポンピング溝（図示せず）を形成することができる。
【００６４】
以上、本発明の好ましい実施形態を参照しながら本発明のスピンドルモータについて説明したが、本発明の思想を逸脱しない範囲内で、修正、変更および多様な変形の実施形態が可能であることは当業者に明白である。
【図面の簡単な説明】
【００６５】
【図１】本発明の好ましい一実施形態に係るモータの概略的な断面図である。
【図２Ａ】図１の点線の部分の概略的な拡大断面図である。
【図２Ｂ】図１の点線の部分の概略的な拡大断面図である。
【図３】本発明の好ましい他の実施形態に係るモータの概略的な断面図である。
【図４Ａ】図３の点線の部分の概略的な拡大断面図である。
【図４Ｂ】図３の点線の部分の概略的な拡大断面図である。
【図５】本発明の好ましいまた他の実施形態に係るモータの概略的な断面図である。
【図６Ａ】図５の点線の部分の概略的な拡大断面図である。
【図６Ｂ】図５の点線の部分の概略的な拡大断面図である。
【図７】従来技術のモータの概略的な断面図である。
【図８】図７の点線の部分の概略的な拡大断面図である。
【符号の説明】
【００６６】
１００、２００、３００：スピンドルモータ
１０１、２０１、３０１：固定組立体
１０５、２０５、３０５：回転組立体
１１０：ベース
１２０、２２０、３２０：スリーブ
１３０、２３０、３３０：シールキャップ
１４０：電機子
１５０、２５０、３５０：シール部材
１６０、２６０、３６０：ロータハブ
１７０、２７０、３７０：回転軸
１８０：磁石
３９０：中間部材
【図１】
0004625476.tif 000002
【図２Ａ】
0004625476.tif 000003
【図２Ｂ】
0004625476.tif 000004
【図３】
0004625476.tif 000005
【図４Ａ】
0004625476.tif 000006
【図５】
0004625476.tif 000007
【図６Ａ】
0004625476.tif 000008
【図６Ｂ】
0004625476.tif 000009
【図７】
0004625476.tif 000010
【図８】
0004625476.tif 000011
【図４Ｂ】
0004625476.tif 000012